(57)【要約】【課題】湯切りに係る液体を外部に捨てることなく湯切りして麺を調理することができるようにした簡単な構成の湯切り機能付き麺容器を提供する。【解決手段】この発明の湯切り機能付き麺容器１００は、中板３０で下段の第１の空間４０と蓋体１０で覆われる第２の空間５０とに仕切られた２重構造の容器からなり、第２の空間５０には、調理用の麺５１が収容され、中板３０には、第１の空間４０と第２の空間５０との間を連通する湯切り孔３１と、湯による調理用の麺５１の調理時には湯切り孔３１を塞ぎ、湯切り時には湯切り孔３１を開いて第２の空間５０内の湯を第１の空間４０内に流す湯切り孔開閉手段６０が設けられ、湯切り孔３１の下方の第１の空間４０内には、第１の空間４０内に流れた湯が第２の空間５０内に逆流することを防止する逆流防止手段７０が設けられる。【選択図】図１
2015101372.tif 000002
【特許請求の範囲】
【請求項１】
下段の第１の空間と蓋体で上部が覆われる上段の第２の空間とに中板で仕切られた２重構造の容器からなり、
前記第２の空間には、調理用の麺が収容され、
前記中板には、
前記第１の空間と前記第２の空間との間を連通する湯切り孔と、
湯による前記調理用の麺の調理時には前記湯切り孔を塞ぎ、湯切り時には前記湯切り孔を開いて前記第２の空間内の湯を前記第１の空間内に流す湯切り孔開閉手段と、
が設けられ、
前記湯切り孔の下方の前記第１の空間内には、前記第１の空間内に流れた湯が前記第２の空間内に逆流することを防止する逆流防止手段が設けられていることを特徴とする湯切り機能付き麺容器。
【請求項２】
前記中板は、
前記容器の上部に収容される上置き容器の底面から形成されることを特徴とする請求項１に記載の湯切り機能付き麺容器。
【請求項３】
前記逆流防止手段は、
前記湯切りに際して前記第１の空間内に流れた湯により浮上する球状の浮上部材と、
前記湯切り孔の下方の前記第１の空間内に設けられ、前記浮上部材の浮上をガイドする下方が開いたスカート状のガイド部材と、
前記ガイド部材の内壁に斜め上方を向いて取付けられ、前記浮上部材の浮上に際しては弾性変形して前記浮上部材の浮上を許容し、前記浮上部材により前記湯切り孔を塞いだ後は該浮上部材の移動を規制する可撓性の複数の返し爪部材と、
を具備することを特徴とする請求項１または２に記載の湯切り機能付き麺容器。
【請求項４】
前記逆流防止手段は、
前記湯切りに際して前記第１の空間内に流れた湯により浮上する球状の浮上部材と、
前記湯切り孔の下方の前記第１の空間内に設けられ、前記浮上部材の浮上をガイドする下方が開いた形状からなり、中央部に前記浮上部材の浮上に際しては弾性変形して前記浮上部材の浮上を許容し、前記浮上部材により前記湯切り孔を塞いだ後は前記浮上部材の移動を規制する絞り部が設けられたとっくり状のガイド部材と、
を具備することを特徴とする請求項１または２に記載の湯切り機能付き麺容器。
【請求項５】
前記逆流防止手段は、
前記湯切りに際して前記第１の空間内に流れた湯により浮上する側部に切欠き部を有する蓋状の浮上部材と、
前記湯切り孔の下方の前記第１の空間内に設けられ、前記浮上部材の浮上をガイドする下方が開いたスカート状のガイド部材と、
を具備し、
前記浮上部材の切欠き部が前記湯切り孔の縁部に係合して前記浮上部材により前記湯切り孔を塞ぐことを特徴とする請求項１または２に記載の湯切り機能付き麺容器。
【請求項６】
前記逆流防止手段は、
前記湯切りに際して前記第１の空間内に流れた湯により浮上する球状の浮上部材と、
前記湯切り孔の下方の前記第１の空間内に設けられ、前記浮上部材の浮上をガイドする下方が開いたスカート状のガイド部材と、
前記ガイド部材の上端に取付けられ、前記湯切り時には弾性変形して前記第２の空間内の熱湯を前記第１の空間内に流し、湯切り完了時には前記浮上部材の浮上により押し上げられ、前記湯切り孔を塞ぐ可撓性の蓋部材と、
を具備することを特徴とする請求項１または２に記載の湯切り機能付き麺容器。
【請求項７】
前記逆流防止手段は、
前記湯切り孔の下側の前記第１の空間内に設けられ、前記湯切り時には弾性変形して前記第２の空間内の熱湯を前記第１の空間内に流し、前記湯切り完了により先端が弾性的に閉じられる可撓性の管状部材、
を具備することを特徴とする請求項１または２に記載の湯切り機能付き麺容器。
【請求項８】
前記湯切り孔開閉手段は、
前記湯切り孔に取付けられ、前記調理用の麺の調理時には前記湯切り孔を塞ぐが、前記第２の空間に湯を注いでから一定時間経過後に前記第２の空間内の湯により熱溶融して前記湯切り孔を開く熱溶融部材を具備することを特徴とする請求項１乃至７のいずれか１項に記載の湯切り機能付き麺容器。
【請求項９】
前記湯切り孔開閉手段は、
前記湯切り孔に貼付され、前記調理用の麺の調理時には前記湯切り孔を塞ぐが、前記湯切り時には前記湯切り孔から剥離されて前記湯切り孔を開く一端に外部に導出可能な紐若しくは延在部が設けられた剥離部材からなることを特徴とする請求項１乃至７のいずれか１項に記載の湯切り機能付き麺容器。
【請求項１０】
前記第２の空間内の前記逆流防止手段の占める領域以外の領域に、前記中板の下方への変形を防止する支柱構造体が設けられていることを特徴とする請求項１乃至９のいずれか１項に記載の湯切り機能付き麺容器。
【請求項１１】
前記第２の空間内の前記逆流防止手段の占める領域以外の領域に、前記中板の下方への変形を防止する多孔構造体が設けられていることを特徴とする請求項１乃至９のいずれか１項に記載の湯切り機能付き麺容器。
【発明の詳細な説明】
【技術分野】
【０００１】
本発明は、即席カップ麺等に適用して最適な湯切り機能付き麺容器に関し、詳しくは、湯切りに係る液体を外部に捨てることなく湯切りして麺を調理することができるようにした湯切り機能付き麺容器に関する。
【背景技術】
【０００２】
湯切りが必要な即席カップ麺としては、カップ焼きそば、カップスパゲティ、生麺タイプのラーメンやうどん等がある。これれらの即席カップ麺においては、容器内の麺に熱湯等の液体を注いだ後、容器の蓋を開けて容器内の液体を捨てるといういわゆる湯切り操作が必要になる。
【０００３】
この湯切り操作を容易にした従来の麺容器としては、特許文献１に開示した「湯切り孔付き蓋材」を用いたものが知られている。この特許文献１に開示した「湯切り孔付き蓋材」を用いた麺容器においては、湯切り孔形成用摘み３を掴んで外蓋１１の紙層１２を内蓋１５から剥離することにより内蓋１５に湯切り孔９を形成し、この湯切り孔９を通して容器内の湯切りに係る液体を外部に捨てるように構成されている。
【先行技術文献】
【特許文献】
【０００４】
【特許文献１】特開２００２−９６８７９号公報
【発明の概要】
【発明が解決しようとする課題】
【０００５】
しかし、上記特許文献１に開示した「湯切り孔付き蓋材」を用いた構成においては、この湯切りに係る液体を捨てる場所がない環境においては、この湯切りを必要とする即席カップ麺を調理して食することはできない。このことが、コンビニ等におけるこの種の即席カップ麺の販売に大きな障害となっていた。
【０００６】
そこで、本発明は、湯切りに係る液体を外部に捨てることなく湯切りして麺を調理することができるようにした簡単な構成の湯切り機能付き麺容器を提供することを目的とする。
【課題を解決するための手段】
【０００７】
上記の目的を達成するため、請求項１の発明の湯切り機能付き麺容器は、下段の第１の空間と蓋体で上部が覆われる上段の第２の空間とに中板で仕切られた２重構造の容器からなり、前記第２の空間には、調理用の麺が収容され、前記中板には、前記第１の空間と前記第２の空間との間を連通する湯切り孔と、湯による前記調理用の麺の調理時には前記湯切り孔を塞ぎ、湯切り時には前記湯切り孔を開いて前記第２の空間内の湯を前記第１の空間内に流す湯切り孔開閉手段と、が設けられ、前記湯切り孔の下方の前記第１の空間内には、前記第１の空間内に流れた湯が前記第２の空間内に逆流することを防止する逆流防止手段が設けられていることを特徴とする。
【０００８】
請求項２の発明は、請求項１の発明において、前記中板は、前記容器の上部に収容される上置き容器の底面から形成されることを特徴とする。
【０００９】
請求項３の発明は、請求項１または２の発明において、前記逆流防止手段は、前記湯切りに際して前記第１の空間内に流れた湯により浮上する球状の浮上部材と、前記湯切り孔の下方の前記第１の空間内に設けられ、前記浮上部材の浮上をガイドする下方が開いたスカート状のガイド部材と、前記ガイド部材の内壁に斜め上方を向いて取付けられ、前記浮上部材の浮上に際しては弾性変形して前記浮上部材の浮上を許容し、前記浮上部材により前記湯切り孔を塞いだ後は該浮上部材の移動を規制する可撓性の複数の返し爪部材と、を具備することを特徴とする。
【００１０】
請求項４の発明は、請求項１または２の発明において、前記逆流防止手段は、前記湯切りに際して前記第１の空間内に流れた湯により浮上する球状の浮上部材と、前記湯切り孔の下方の前記第１の空間内に設けられ、前記浮上部材の浮上をガイドする下方が開いた形状からなり、中央部に前記浮上部材の浮上に際しては弾性変形して前記浮上部材の浮上を許容し、前記浮上部材により前記湯切り孔を塞いだ後は前記浮上部材の移動を規制する絞り部が設けられたとっくり状のガイド部材と、を具備することを特徴とする。
【００１１】
請求項５の発明は、請求項１または２の発明において、前記逆流防止手段は、前記湯切りに際して前記第１の空間内に流れた湯により浮上する側部に切欠き部を有する蓋状の浮上部材と、前記湯切り孔の下方の前記第１の空間内に設けられ、前記浮上部材の浮上をガイドする下方が開いたスカート状のガイド部材と、を具備し、前記浮上部材の切欠き部が前記湯切り孔の縁部に係合して前記浮上部材により前記湯切り孔を塞ぐことを特徴とする。
【００１２】
請求項６の発明は、請求項１または２の発明において、前記逆流防止手段は、前記湯切りに際して前記第１の空間内に流れた湯により浮上する球状の浮上部材と、前記湯切り孔の下方の前記第１の空間内に設けられ、前記浮上部材の浮上をガイドする下方が開いたスカート状のガイド部材と、前記ガイド部材の上端に取付けられ、前記湯切り時には弾性変形して前記第２の空間内の熱湯を前記第１の空間内に流し、湯切り完了時には前記浮上部材の浮上により押し上げられ、前記湯切り孔を塞ぐ可撓性の蓋部材と、を具備することを特徴とする。
【００１３】
請求項７の発明は、請求項１または２の発明において、前記逆流防止手段は、前記湯切り孔の下側の前記第１の空間内に設けられ、前記湯切り時には弾性変形して前記第２の空間内の熱湯を前記第１の空間内に流し、前記湯切り完了により先端が弾性的に閉じられる可撓性の管状部材、を具備することを特徴とする。
【００１４】
請求項８の発明は、請求項１乃至７のいずれか１項の発明において、前記湯切り孔開閉手段は、前記湯切り孔に取付けられ、前記調理用の麺の調理時には前記湯切り孔を塞ぐが、前記第２の空間に湯を注いでから一定時間経過後に前記第２の空間内の湯により熱溶融して前記湯切り孔を開く熱溶融部材を具備することを特徴とする。
【００１５】
請求項９の発明は、請求項１乃至７のいずれか１項の発明において、前記湯切り孔開閉手段は、前記湯切り孔に貼付され、前記調理用の麺の調理時には前記湯切り孔を塞ぐが、前記湯切り時には前記湯切り孔から剥離されて前記湯切り孔を開く一端に外部に導出可能な紐若しくは延在部が設けられた剥離部材からなることを特徴とする。
【００１６】
請求項１０の発明は、請求項１乃至９のいずれか１項の発明において、前記第２の空間内の前記逆流防止手段の占める領域以外の領域に、前記中板の下方への変形を防止する支柱構造体が設けられていることを特徴とする。
【００１７】
請求項１１の発明は、請求項１乃至９のいずれか１項の発明において、前記第２の空間内の前記逆流防止手段の占める領域以外の領域に、前記中板の下方への変形を防止する多孔構造体が設けられていることを特徴とする。
【発明の効果】
【００１８】
本発明によれば、下段の第１の空間と蓋体で上部が覆われる上段の第２の空間とに中板で仕切られた２重構造の容器からなり、前記第２の空間には、調理用の麺が収容され、前記中板には、前記第１の空間と前記第２の空間との間を連通する湯切り孔と、湯による前記調理用の麺の調理時には前記湯切り孔を塞ぎ、湯切り時には前記湯切り孔を開いて前記第２の空間内の湯を前記第１の空間内に流す湯切り孔開閉手段と、が設けられ、前記湯切り孔の下方の前記第１の空間内には、前記第１の空間内に流れた湯が前記第２の空間内に逆流することを防止する逆流防止手段を設けて構成したので、以下のような効果を奏する。
【００１９】
１）湯切りに係る液体を外部に捨てることなく湯切りして麺を調理食することができる。
【００２０】
２）湯切りに係る液体は、第２の空間から下方の第１の空間に流れ込むので、確実かつ有効な湯切りを行うことができ、また、湯切りに際して容器全体を傾ける必要はないので、安全であり、また、調理した加薬等が蓋体の裏面に付着してしまう等の不都合は生じない。
【００２１】
３）湯切りに係る液体は、麺の調理後に熱源として機能するので、調理した麺に対して保温効果を与え、長時間に亘って麺を美味しく食することができる。
【００２２】
４）容器の下段の第１の空間内に流れた湯は重みとして機能するので、麺がすくなくなっても容器が安定し、特に屋外で食する場合等にはその利用価値は大きい。
【図面の簡単な説明】
【００２３】
【図１】図１は、本発明に係る湯切り機能付き麺容器の実施例１示す断面図及びその中蓋の上面図及び逆流防止手段の拡大上面図である。
【図２】図２は、図１に示した実施例１の湯切り機能付き麺容器を用いた即席カップ麺の調理方法を説明する図である。
【図３】図３は、図１で説明した実施例１の逆流防止手段として他の構成を採用した湯切り機能付き麺容器の実施例２を説明する図である。
【図４】図４は、図１で説明した実施例１の逆流防止手段として更に他の構成を採用した湯切り機能付き麺容器の実施例３を説明する図である。
【図５】図５は、図１で説明した実施例１の逆流防止手段として更に他の構成を採用した湯切り機能付き麺容器の実施例４を説明する図である。
【図６】図６は、図１で説明した実施例１の逆流防止手段として更に他の構成を採用した湯切り機能付き麺容器の実施例５を説明する図である。
【図７】図７は、図１で説明した実施例１の湯切り孔開閉手段として他の構成を採用した湯切り機能付き麺容器の実施例６を説明する図である。
【図８】図８は、本発明に係る湯切り機能付き麺容器の実施例７、実施例８を説明する図である。
【発明を実施するための形態】
【００２４】
以下、本発明を実施するための実施例について、願書に添付した図面を参照しながら詳細に説明する。
【実施例１】
【００２５】
図１は、本発明に係る湯切り機能付き麺容器の実施例１を示すもので、図１（Ａ）は、その断面図、図１（Ｂ）は、その中蓋の上面図、図１（Ｃ）は逆流防止手段の拡大上面図である。
【００２６】
図１（Ａ）、（Ｂ）、（Ｃ）において、この湯切り機能付き麺容器１００は、蓋体１０と容器本体２０から構成され、容器本体２０の中間部には中板３０が設けられ、容器本体２０内は、この中板３０により画成される容器本体２０の底面と中板３０の下面との間の下段の第１の空間４０と、中板３０の上面と蓋体１０の下面との間の上段の第２の空間５０との２重構造から構成される。
【００２７】
上段の第２の空間５０には、調理対象である麺５１と、袋詰めされた野菜類、肉、小エビなどのフリーズドライした袋詰加薬５２及び袋詰めされた粉末ソース５３等が収容される。
【００２８】
なお、上記中板３０は、容器本体２０と一体成形するように構成してもよいが、図１（Ａ）に示すように、容器本体２０の上部に収容される上置き容器８０の底面として構成することができ、このように構成するとこの湯切り機能付き麺容器１００の製造工程を低減することができ、また、全体の製造コストを安く抑えることができる。
【００２９】
中板３０には、図１（Ｂ）に示すように、第１の空間４０と第２の空間５０との間を連通する湯切り孔３１と、湯による調理用の麺５１の調理時には湯切り孔３１を塞ぎ、湯切り時には湯切り孔３１を開いて第２の空間５０内の図示しない湯を第１の空間４０内に流す湯切り孔開閉手段６０が設けられている。
【００３０】
この実施例１において、この湯切り孔開閉手段６０としては、湯切り孔３１に取付けられ、調理用の麺の調理時には湯切り孔３１を塞ぐが、第２の空間５０内に湯を注いでから一定時間、例えば３分経過すると第２の空間５０内の湯により熱溶融して湯切り孔３１を開く熱溶融部材６１から構成される。
【００３１】
また、湯切り孔３１の下方の第１の空間４０内には、第１の空間４０内に流れた湯が第２の空間５０内に逆流することを防止する逆流防止手段７０が設けられている。
【００３２】
この実施例１において、この逆流防止手段７０としては、湯切りに際して第１の空間４０内に流れた湯により浮上する球状の浮上部材７３と、湯切り孔３１の下方の第１の空間４０内に設けられ、浮上部材７３の浮上をガイドする下方が開いたスカート状のガイド部材７１と、ガイド部材７１の内壁に斜め上方を向いて取付けられ、浮上部材７３の浮上に際しては弾性変形して浮上部材７３の浮上を許容し、浮上部材７３により湯切り孔３１を塞いだ後は該浮上部材７３の移動を規制する可撓性の複数の返し爪部材７２とを具備して構成される。
【００３３】
図２は、図１に示した湯切り機能付き麺容器１００を用いた即席カップ麺の調理方法を説明する図である。
【００３４】
図２においては、この即席カップ麺がカップ焼きそばである場合について説明する。
【００３５】
図２（Ａ）において、この湯切り機能付き麺容器１００の第２の空間５０には、調理対象である焼きそば用の麺５１と、袋詰加薬５２及び粉末ソース５３等が収容されている。
【００３６】
この状態で、蓋体１０を開け、袋詰加薬５２及び粉末ソース５３を取り出し、袋詰加薬５２内の加薬５２−１は、袋から出して、麺５１の上に置き、麺５１と加薬５２−１の上から必要な熱湯を注ぎ、図２（Ｂ）に示すように、第２の空間５０内の熱湯の湯面９０が所定の位置に達すると、容器本体２０に蓋体１０を乗せて蓋をする。
【００３７】
そして、所要時間、例えば３分経過すると、湯切り孔開閉手段６０の熱溶融部材６１が第２の空間５０内の湯により熱溶融して湯切り孔３１を開く。
【００３８】
これにより、図２（Ｃ）に示すように、第２の空間５０内の湯は湯切り孔３１を通って第１の空間４０内に流れ、第２の空間５０内の湯面は徐々に下降し、これに伴って、第１の空間４０内の湯面９０は徐々に上昇する。
【００３９】
この第１の空間４０内の湯面９０の上昇により、逆流防止手段７０の球状の浮上部材７３は浮上し、この浮上部材７３の浮上に際しては、複数の返し爪部材７２は、ガイド部材７１側に弾性変形するので、浮上部材７３の更なる浮上を許容する。
【００４０】
そして、図２（Ｄ）に示すように、湯切りが完了して、第１の空間４０内の湯面９０が上端に達すると、浮上部材７３により湯切り孔３１が塞がれる。
【００４１】
ここで、湯切り孔開閉手段６０の熱溶融部材６１は、完全には溶けず湯切り孔３１の周縁に残っているので、この残った熱溶融部材６１の存在により、湯切り孔３１は更に完全に塞がれることになる。
【００４２】
また、このとき、複数の返し爪部材７２は弾性復帰するので、この返し爪部材７２により浮上部材７３は保持されて、浮上部材７３の移動は規制される。これにより第１の空間４０内に流れた湯が第２の空間５０内に逆流することはない。
【００４３】
その後、先に取り出した粉末ソース５３を袋から取り出して麺５１に振り掛け混ぜることによりこのカップ焼きそばの調理が終了する。
【００４４】
なお、上記構成によると、一定の調理時間経過後に人手を煩わすことなく自動的に湯切りが行われるので、第２の空間５０内に湯を注ぐだけでよく、非常に簡単にカップ焼きそばを調理して食することが可能になる。
【００４５】
また、上記湯切りに際しては、容器全体を傾ける必要はないので、熱湯による火傷等の虞は一切なく、安全に湯切りを行うことができる。
【００４６】
また、湯切りに際して、調理した加薬等が蓋体の裏面に付着してしまう等の不都合も生じない。
【００４７】
更に、湯切りに係る熱湯を捨てる場所がない環境においても、カップ麺等を湯切りして調理、食することができるので、この種のカップ麺の販売促進に寄与すること大である。  また、第１の空間４０内に流れ込んだ湯は、熱源として機能するので、調理したカップ焼きそばに対して保温効果を与え、長時間に亘ってこの焼きそばを美味しく食することができる。
【００４８】
また、第１の空間４０内に流れ込んだ湯は、第１の空間４０内で重みとして機能するので、麺がすくなくなっても容器が倒れることなく安定し、特に屋外で食する場合等にはその利用価値は大きい。
【実施例２】
【００４９】
図３は、図１で説明した逆流防止手段７０として他の構成を採用した湯切り機能付き麺容器の実施例２を説明する図である。
【００５０】
図３（Ａ）に示すように、この実施例２の湯切り機能付き麺容器で採用される逆流防止手段７１０は、湯切りに際して第１の空間内４０に流れた湯により浮上する球状の浮上部材７１３と、湯切り孔３１の下方の第１の空間４０内に設けられ、浮上部材７１３の浮上をガイドする下方が開いた形状からなり、中央部に浮上部材７１３の浮上に際しては弾性変形して浮上部材７１３の浮上を許容し、浮上部材７１３により湯切り孔３１を塞いだ後は浮上部材７１３の移動を規制する絞り部７１２が設けられたとっくり状のガイド部材７１１とを具備して構成される。他の構成は、図１で示した実施例１の湯切り機能付き麺容器１００の構成と同様である。
【００５１】
上記構成の実施例２の湯切り機能付き麺容器において、逆流防止手段７１０は、湯切りに際して、第２の空間５０内の湯は、湯切り孔３１を通って第１の空間４０内に湯が流れ、第１の空間４０内の湯面９０が上昇すると、これに伴って逆流防止手段７１０の球状の浮上部材７１３は上に移動する。
【００５２】
この浮上部材７１３の浮上に際しては、図３（Ｂ）に示すように、絞り部７１２が弾性変形して浮上部材７１３の更なる浮上を許容する。
【００５３】
そして、浮上部材７１３が絞り部７１２を通過し、図３（Ｃ）に示すように、湯切りが完了して第１の空間４０内の湯面９０が上端に達すると、この浮上部材７１３により湯切り孔３１が塞がれる。
【００５４】
このとき、浮上部材７１３の移動は絞り部７１２の存在により規制されるので、これにより第１の空間４０内に流れた湯が第２の空間５０内に逆流することはない。
【００５５】
なお、この構成による効果は、図１に示した実施例１の湯切り機能付き麺容器と同様である。
【実施例３】
【００５６】
図４は、図１で説明した逆流防止手段７０として更に他の構成を採用した湯切り機能付き麺容器の実施例３を説明する図である。
【００５７】
図４（Ａ）に示すように、この実施例３の湯切り機能付き麺容器で採用される逆流防止手段７２０は、湯切りに際して第１の空間４０内に流れた湯により浮上する側部に切欠き部を有する蓋状の浮上部材７２３と、湯切り孔３１の下方の第１の空間４０内に設けられ、蓋状の浮上部材７２３の浮上をガイドする下方が開いたスカート状のガイド部材７２１とを具備して構成される。
【００５８】
第２の空間５０内の湯が第１の空間４０内に流れて、湯切りが完了すると、浮上部材７２３の浮上力により浮上部材７２３の切欠き部７２３ａが湯切り孔３１の縁部に係合して湯切り孔を塞ぐ。これにより、第１の空間４０から第２の空間５０への湯の逆流を防止する。他の構成は、図１で示した実施例１の湯切り機能付き麺容器１００の構成と同様である。
【００５９】
すなわち、上記構成の実施例３の湯切り機能付き麺容器の逆流防止手段７２０は、湯切りに際して、第２の空間５０内から湯が湯切り孔３１を通って第１の空間内４０に流れ、湯面９０が上昇すると、これに伴って逆流防止手段７２０の蓋状の浮上部材７２３は上に移動する。
【００６０】
そして、図４（Ｃ）に示すように、第１の空間４０内の湯面９０が上端に達し、湯切りが完了すると、浮上部材７２３の浮上力により蓋状の浮上部材７２３の切欠き部７２３ａが湯切り孔３１の縁部に係合して、湯切り孔３１が塞がれる。
【００６１】
なお、このとき、浮上部材７２３の移動は切欠き部７２３ａの存在により規制されるので、これにより第１の空間４０内に流れた湯が第２の空間５０内に逆流することはない。
【００６２】
この構成による効果は、図１に示した実施例１の湯切り機能付き麺容器と同様である。
【実施例４】
【００６３】
図５は、図１で説明した逆流防止手段７０として更に他の構成を採用した湯切り機能付き麺容器の実施例４を説明する図である。
【００６４】
図５（Ａ）に示すように、この実施例４の湯切り機能付き麺容器で採用される逆流防止手段７３０は、湯切りに際して第１の空間４０内に流れた湯により浮上する球状の浮上部材７３３と、湯切り孔３１の下方の第１の空間４０内に設けられ、浮上部材７３３の浮上をガイドする下方が開いたスカート状のガイド部材７３１と、ガイド部材７３１の上端に取付けられ、湯切り時には弾性変形して第２の空間５０内の熱湯を第１の空間４０内に流し、湯切り完了時には浮上部材７３３の浮上により押し上げられ、湯切り孔３１を塞ぐ可撓性の蓋部材７３２とを具備して構成される。他の構成は、図１で示した実施例１の湯切り機能付き麺容器１００の構成と同様である。
【００６５】
上記構成の実施例４の湯切り機能付き麺容器の逆流防止手段７３０は、湯切りに際して、第２の空間５０内の湯が湯切り孔３１を通って第１の空間内４０に湯が流れ、湯面９０が上昇すると、これに伴って逆流防止手段７３０の浮上部材７３３は上に浮上する。
【００６６】
そして、この浮上する浮上部材７３３により、図５（Ｂ）に示すように、蓋部材７３２が上に押し上げられ、図５（Ｃ）に示すように、第１の空間４０内の湯面９０が上端に達し、湯切りが完了すると、湯切り孔３１は蓋部材７３２により塞がれる。
【００６７】
なお、浮上部材７３３を図５に示すように、楕円球状に形成すると、蓋部材７３２により湯切り孔３１を更に安定して塞ぐことができる。上記構成により第１の空間４０内に流れた湯が第２の空間５０内に逆流することはない。
【００６８】
なお、この構成による効果は、図１に示した実施例１の湯切り機能付き麺容器と同様である。
【実施例５】
【００６９】
図６は、図１で説明した逆流防止手段７０として更に他の構成を採用した湯切り機能付き麺容器の実施例５を説明する図である。
【００７０】
図６（Ａ）に示すように、この実施例５の湯切り機能付き麺容器で採用される逆流防止手段７４０は、湯切り孔３１の下側の第１の空間４０内に設けられ、湯切り時には弾性変形して第２の空間５０内の熱湯を第１の空間４０内に流し、湯切り完了により先端が弾性的に閉じられる可撓性の管状部材７４１を具備して構成される。
【００７１】
すなわち、この実施例５の湯切り機能付き麺容器の逆流防止手段７４０は、湯切り孔３１の下側の第１の空間４０内に先端を所定方向から潰した可撓性の管状部材７４１が用いられている。
【００７２】
上記構成の実施例５の湯切り機能付き麺容器の逆流防止手段７４０は、湯切りに際して、第２の空間５０内から湯切り孔３１を通って流れる湯により、図６（Ｂ）に示すように、可撓性の管状部材７４１の先端が弾性変形して開かれ、第２の空間５０内の湯が第１の空間４０内に流れる。そして湯面９０が上昇し、図６（Ｃ）に示すように、第１の空間４０内の湯面９０が上端に達し、湯切りが完了すると、可撓性の管状部材７４１の先端が弾性復帰して閉じられる。これにより第１の空間４０内に流れた湯が第２の空間５０内に逆流することはない。
【００７３】
なお、この構成による効果は、図１に示した実施例１の湯切り機能付き麺容器と同様である。
【実施例６】
【００７４】
なお、上記実施例１乃至５の湯切り機能付き麺容器においては、湯切り孔開閉手段６０として、図７（Ａ）に示すように、第２の空間５０内に湯を注いでから一定時間、例えば３分経過後に第２の空間５０内の湯により熱溶融して湯切り孔３１を開く熱溶融部材６１を用いた構成を示したが、図７（Ｂ）に示すように、この湯切り孔開閉手段６０に代えて、湯切り孔３１に貼付され、調理用の麺の調理時には湯切り孔３１を塞ぐが、湯切り時には、剥離されて湯切り孔３１を開く一端に外部に導出可能な紐６０２若しくは延在部が設けられた剥離部材６０３を設けた湯切り孔開閉手段６００を採用する実施例６の湯切り機能付き麺容器のように構成してもよい。
【００７５】
この実施例６の湯切り機能付き麺容器の場合は、第２の空間５０内に湯を注いでから一定時間、例えば３分経過後に紐６０２若しくは延在部を摘んで湯切り孔３１から剥離部材６０１を剥がす。
【００７６】
この実施例６の湯切り機能付き麺容器によると、紐６０２若しくは延在部を摘んで湯切り孔３１から剥離部材６０１を剥がす操作が必要になるが、この実施例６の湯切り機能付き麺容器の構成によると、自分の好みに合わせたタイミングで湯切りを行うことが可能になるという利点がある。
【００７７】
なお、この実施例６の湯切り機能付き麺容器において、逆流防止手段は、実施例１乃至５のいずれかの構成を採用することができる。
【実施例７】
【００７８】
実施例７の湯切り機能付き麺容器２００は、図８（Ａ）に示すように、第１の空間４０内の逆流防止手段７０の占める領域以外の領域に、中板３０の下方への変形を防止する支柱構造体２１０を設けて構成される。
【００７９】
ここで、支柱構造体２１０は、図８（Ａ）に示すように、中板３０と、第１の空間４０の底部との間に挿入され、例えば多くの互いに連通する空間を有するラダー状の構造体から構成することができる。
【００８０】
この支柱構造体２１０を採用することにより、第２の空間５０内に湯を注いだときの中板３０の下方への変形を防止することができるとともに、第１の空間４０内に流れた湯の揺れを小さくすることができ、逆流防止手段の逆流防止効果を更に有効に作用させることができる。
【００８１】
また、この支柱構造体２１０の存在により容器全体の強度が増し、容器破損等による火傷の危険性も減少する。
【００８２】
なお、図８（Ａ）では、逆流防止手段として実施例１の逆流防止手段７０を採用した場合を示したが、実施例２乃至５で示した逆流防止手段７１０から７４０のいずれかを用いても同様に構成することができる。
【００８３】
また、図８（Ａ）では、湯切り孔開閉手段として、実施例１の湯切り孔開閉手段６０を採用する構成を示したが、この構成に代えて図７（Ｂ）に示す湯切り孔開閉手段６００を用いてもよい。
【実施例８】
【００８４】
実施例８の湯切り機能付き麺容器３００は、図８（Ｂ）に示すように、第１の空間４０内の逆流防止手段７０の占める領域以外の領域に、中板３０の下方への変形を防止する多孔構造体３１０を設けて構成される。
【００８５】
ここで、多孔構造体３１０は、図８（Ｂ）に示すように、中板３０と、第１の空間４０の底部との間に挿入され、例えば多くの互いに連通する空間を有する多孔体から構成することができる。
【００８６】
この多孔構造体３１０を採用することにより、実施例８の湯切り機能付き麺容器３００においては、実施例７の湯切り機能付き麺容器２００と同様の効果を得ることだできる。
【００８７】
すなわち、実施例８の湯切り機能付き麺容器３００においては、多孔構造体３１０の存在により、第２の空間５０内に湯を注いだときの中板３０の下方への変形を防止することができるとともに、第１の空間４０内に流れた湯の揺れを小さくすることができ、逆流防止手段の逆流防止効果を更に有効に作用させることができる。
【００８８】
また、この支柱構造体２１０の存在により容器全体の強度が増し、容器破損等による火傷の危険性も減少する。
【００８９】
なお、図８（Ｂ）では、逆流防止手段として実施例１の逆流防止手段７０を採用した場合を示したが、実施例２乃至５で示した逆流防止手段７１０から７４０のいずれかを用いても同様に構成することができる。
【００９０】
また、図８（Ｂ）では、湯切り孔開閉手段として、実施例１の湯切り孔開閉手段６０を採用する構成を示したが、この構成に代えて図７（Ｂ）に示す湯切り孔開閉手段６００を用いてもよい。
【００９１】
なお、本発明は上述の実施形態に限定されるものではなく、本発明の技術的思想の範囲内であれば、当業者の通常の創作能力によって多くの変形が可能である。
【符号の説明】
【００９２】
１０…蓋体
２０…容器本体
３０…中板
３１…湯切り孔
４０…第１の空間
５０…第２の空間
５１…麺
５２…袋詰加薬
５３…粉末ソース
６０…湯切り孔開閉手段
６１…熱溶融部材
７０…逆流防止手段
７１…ガイド部材
７２…返し爪部材
７３…浮上部材
８０…上置き容器
９０…湯面
１００、２００、３００…湯切り機能付き麺容器
２１０…支柱構造体
３１０…多孔構造体
６００…湯切り孔開閉手段
６０１…剥離部材
６０２…紐
７１０…逆流防止手段
７１１…ガイド部材
７１２…絞り部
７１３…浮上部材
７２０…逆流防止手段
７２１…ガイド部材
７１２…絞り部
７２３…浮上部材
７２３ａ…切欠き部
７３０…逆流防止手段
７３１…ガイド部材
７３２…蓋部材
７３３…浮上部材
７４０…逆流防止手段
７４１…管状部材
【図１】
2015101372.tif 000003
【図２】
2015101372.tif 000004
【図３】
2015101372.tif 000005
【図４】
2015101372.tif 000006
【図５】
2015101372.tif 000007
【図６】
2015101372.tif 000008
【図７】
2015101372.tif 000009
【図８】
2015101372.tif 000010